(57)【要約】【課題】  従来のゴミ出しは、有料のゴミ出しにおいてゴミ搬入口ドアーを開閉するものであった。又、無料のゴミ出しにおいては指定された日時・場所にゴミ出しをしなければ回収されないため、ゴミをため込む量が多くなるという問題があった。これは、一般社会の中にゴミ出しは無料という概念が根強くあるからで、増え続けるゴミが社会問題になっている。【解決手段】  回転中核を中心とする二つの回転アームの９０度回転によって、中空体と壁面が交互に開口部と一致するように構成した。これにより、ゴミ投入口のスムースな開閉を可能にし、衛生的で安全にいつでも誰でもゴミ出しができる回転式２４時間有料ゴミ受け入れ装置を提供できるとともに、ゴミの減量化にも役立つことが期待できる。【選択図】  図１
2006069796.tif 000002
【特許請求の範囲】
【請求項１】
コイン投入口と駆動モータ、そして殺菌用紫外線ランプを備えた台座と、その前記台座の上部に回転中核と前記回転中核を中心とする二つの回転アームと二ヵ所の中空体を保護する回転カバーを設置し、前記回転中核の端にレバーを取り付け、前記回転アームと前記中空体は所定のコイン投入後、駆動モータの駆動力で９０度回転し、ゴミ袋投入後はレバーを手動で９０度回転させるように形成した回転式２４時間有料ゴミ受入れ装置。
【請求項２】
回転アームには外向きに壁面、内向きに凹面と凸面を形成し、回転カバーの前面には開口部を設けた請求項１記載の回転式２４時間有料ゴミ受入れ装置。
【発明の詳細な説明】
【技術分野】
【０００１】  本発明は、一般家庭ゴミを２４時間有料で受け入れる装置に関する。
【背景技術】
【０００２】  従来の家庭ゴミ出しは、有料ゴミ出しにおいてゴミ搬入許可データ等を使いドアーロックを解除し、ゴミ搬入口ドアーを開いてゴミ出しを可能にしているものがある（例えば、特許文献１参照。）。
又、一般的には行政が無料でゴミを回収している現実がある。【０００３】  以下、従来の有料ゴミ出しについて説明する。所定のゴミ搬入許可データが入力されたこと、又は所定のゴミ出し料金が支払われたことを確認後、始めてゴミ搬入口ドアーを一時的に開放するアクセス・コントロール機能付き有料ゴミ箱である。【０００４】  又、従来の一般的に行われているゴミ出しにおいては、ゴミ袋を有料で配布している一部の行政もあるが、ほとんどは指定された日時・場所にゴミ出しをしておけば行政が無料で回収している。【０００５】
【特許文献１】  特許公開２００１−３１５９０４号公報
【発明の開示】
【発明が解決しようとする課題】
【０００６】  以上に述べた従来の有料ゴミ出しでは、専用ゴミ出しカード等を携帯する特定の人、又は所定のゴミ出し料金が支払われたことを確認後、始めてゴミ搬入口ドアーを開放するものであった。【０００７】  又、従来のゴミ出しでは、無料とはいえ指定された日時・場所にゴミ出しをしなければ回収されないため、ゴミをため込む量が多くなっていた。【０００８】  本発明は、このような従来有していた問題を解決しようとするものであり、回転中核を中心とする二つの回転アームの９０度回転によって中空体と壁面が交互に開口部と一致することで、ゴミ投入口のスムースな開閉を可能にした、衛生的で安全にいつでも誰でもゴミ出しができる回転式２４時間有料ゴミ受け入れ装置を実現することを目的とするものである。
【課題を解決するための手段】
【０００９】  そして、本発明は上記目的を達成するためにコイン投入口と駆動モータ、そして殺菌用紫外線ランプを備えた台座と、その前記台座の上部に回転中核と前記回転中核を中心とする二つの回転アームと二ヵ所の中空体を保護する回転カバーを設置し、前記回転中核の端にレバーを取り付け、前記回転アームと前記中空体は所定のコイン投入後、駆動モータの駆動力で９０度回転し、ゴミ袋投入後はレバーを手動で９０度回転させるように形成したものである。【００１０】  又、回転アームには外向きに壁面、内向きに凹面と凸面を形成し、回転カバーの前面には開口部を設けたものである。【００１１】  上記の課題解決手段による作用は次の通りである。すなわち、所定のコイン投入後は駆動モータの駆動力で回転アームを９０度回転させ中空体が開口部と一致して止まるので開いた状態になる。ゴミ袋投入後はレバーを手動で回転アームを９０度回転させるとゴミ袋は収納庫内に収まり、回転アームの壁面が開口部と一致して止まるので閉じた状態になる。【００１２】  又、ゴミ袋を中空体の中の凹面に置くことにより、外への落ちこぼれを抑える効果があり、更にレバーを手動で回転させることから開口部に手を挟まれる等の事故防止にもなる、衛生的で安全にいつでも誰でもゴミ出しができるという効果を発揮する。
【発明の効果】
【００１３】  上述したように本発明の回転式２４時間有料ゴミ受け入れ装置は、回転中核を中心とする二つの回転アームの９０度回転によって中空体と壁面が交互に開口部と一致することで、ゴミ投入口のスムースな開閉を可能にし、安全性の高い回転式２４時間有料ゴミ受け入れ装置を提供できる。【００１４】  又、ゴミ袋の外への落ちこぼれを抑え、更にレバーを手動で回転させることから、衛生的で安全にいつでも誰でもゴミ出しができるという効果を発揮するものである。
【発明を実施するための最良の形態】
【００１５】  以下、本発明の実施の形態を図１に基づいて説明する。【００１６】  図１においては、台座（１４）にコイン投入口（１）、駆動モータ（２）、紫外線ランプ（１３）を固着し、台座（１４）の上部に回転中核（３）と回転中核（３）を中心とする二つの回転アーム（４）と二ヵ所の中空体（８）を保護する回転カバー（９）を設置し、回転中核（３）の端に手動で回転させるレバー（１１）を取り付けた。【００１７】  回転アーム（４）には外向きに壁面（５）、内向きに凹面（６）と凸面（７）を形成し、回転カバー（９）の前面には開口部（１０）を設けてある。【００１８】  又、台座（１４）には出し入れ可能な収納庫（１２）を収めてある。【００１９】  以下、上記構成の動作を説明する。普段は回転アーム（４）の壁面（５）が回転カバー（９）の前面にある開口部（１０）と一致してあるので閉じた状態になるが、所定のコイン投入後は駆動モータ（２）に一定時間スイッチが入り、回転中核（３）の回転と同時に回転アーム（４）を９０度回転させ中空体（８）が回転カバー（９）の前面にある開口部（１０）と一致して止まるので開いた状態になる。【００２０】  そして、ゴミ袋を中空体（８）の中の凹面（６）に置き、回転中核（３）の端に取り付けたレバー（１１）を手動で９０度回転させると回転中核（３）の回転と同時に回転アーム（４）も回転し、ゴミ袋は収納庫（１２）内に収まり、回転アーム（４）の壁面（５）が回転カバー（９）の前面にある開口部（１０）と一致して止まるので再び閉じた状態になる。【００２１】  又、ゴミ袋を中空体（８）の中の凹面（６）に置くことにより、外への落ちこぼれを抑えることができ、更にレバー（１１）を手動で回転させることから開口部に手を挟まれる等の事故防止にもなり、衛生的で安全にいつでも誰でもゴミ出しができるという効果を発揮する。以上のように、本実施形態によれば衛生的に安全効果が得られるものである。
【図面の簡単な説明】
【００２２】
【図１】  本発明の実施形態を示す回転式２４時間有料ゴミ受け入れ装置の構造図
【符号の説明】
【００２３】１    コイン投入口
２    駆動モータ
３    回転中核
４    回転アーム
５    壁面
６    凹面
７    凸面
８    中空体
９    回転カバー
１０  開口部
１１  レバー
１２  収納庫
１３  紫外線ランプ
１４  台座
【図１】
2006069796.tif 000003